(57)【特許請求の範囲】
【請求項１】
通信回線を介した通信を制御する通信制御装置であって、
オンフック状態において前記通信回線の線間電圧の電圧値を取得する電圧値取得部と、
取得された前記電圧値が第一の所定時間継続して閾値電圧以下であるか否かを判定する第一の判定部と、
前記電圧値が前記第一の所定時間継続して前記閾値電圧以下であると判定された場合、オフフック状態において前記通信回線に流れる回線電流の電流値を取得する電流値取得部と、
取得された前記電流値が第二の所定時間継続して閾値電流以下であるか否かを判定する第二の判定部と、
前記電流値が前記第二の所定時間継続して前記閾値電流以下であると判定された場合、前記通信回線が断線したと判定する断線判定部と、
通信装置に前記通信回線とは異なる通信経路を介して外部機器が接続されているか否か、前記通信装置が前記通信回線とは異なる通信網に接続されているか否かを判定する接続判定部と、
前記通信装置の動作モードの遷移を制御する動作モード遷移制御部と、
を備え、
前記動作モード遷移制御部は、前記通信回線が断線したと判定され、前記通信装置に前記外部機器が接続されておらず、前記通信装置が前記通信網に接続されていないと判定された場合、前記通信装置の動作モードを電源オフモードへ遷移させる、
ことを特徴とする通信制御装置。
【請求項２】
前記第一の所定時間、前記第二の所定時間、前記閾値電圧、前記閾値電流の少なくともいずれかを設定変更する設定変更部を備えることを特徴とする請求項１に記載の通信制御装置。
【請求項３】
前記電流値取得部は、前記電圧値が前記第一の所定時間継続して前記閾値電圧以下であると判定されることによりオンフック状態からオフフック状態に遷移してから第三の所定時間経過後に、オフフック状態において前記通信回線に流れる回線電流の電流値を取得することを特徴とする請求項１又は２に記載の通信制御装置。
【請求項４】
前記第三の所定時間を設定変更する設定変更部と備えることを特徴とする請求項３に記載の通信制御装置。
【請求項５】
前記通信回線を介した通信を制御する対象となる通信装置が欧州向けの通信装置である場合、前記通信回線が断線したか否かを判定するための処理を行う請求項１乃至４いずれか１項に記載の通信制御装置。
【請求項６】
請求項１乃至５いずれか１項に記載の通信制御装置を備えることを特徴とする通信装置。
【請求項７】
請求項１乃至５いずれか１項に記載の通信制御装置を備えることを特徴とする画像形成装置。
【請求項８】
通信回線を介した通信を制御する通信制御装置の制御プログラムであって、
オンフック状態において前記通信回線の線間電圧の電圧値を取得するステップと、
取得された前記電圧値が第一の所定時間継続して閾値電圧以下であるか否かを判定するステップと、
前記電圧値が前記第一の所定時間継続して前記閾値電圧以下であると判定された場合、オフフック状態において前記通信回線に流れる回線電流の電流値を取得するステップと、
取得された前記電流値が第二の所定時間継続して閾値電流以下であるか否かを判定するステップと、
前記電流値が前記第二の所定時間継続して前記閾値電流以下であると判定された場合、前記通信回線が断線したと判定するステップと、
通信装置に前記通信回線とは異なる通信経路を介して外部機器が接続されているか否か、前記通信装置が前記通信回線とは異なる通信網に接続されているか否かを判定するステップと、
前記通信回線が断線したと判定され、前記通信装置に前記外部機器が接続されておらず、前記通信装置が前記通信網に接続されていないと判定された場合、前記通信装置の動作モードを電源オフモードへ遷移させるステップと、
を通信制御装置に実行させることを特徴とする通信制御装置の制御プログラム。
【発明の詳細な説明】
【技術分野】
【０００１】
本発明は、通信制御装置、通信装置、画像形成装置、通信制御装置の制御プログラムに関する。
【背景技術】
【０００２】
近年、情報の電子化に用いられる画像処理装置や、電子化された情報の出力に用いられる画像形成装置は欠かせない機器となっている。このような画像処理装置や画像形成装置は、プリンタ、ファクシミリ、スキャナ、複写機として利用可能な複合機として構成されることが多い。
【０００３】
このような複合機は、電話回線などの通信回線を介して公衆交換電話網やファクシミリ通信網などの通信網に接続されており、その通信回線を介して他の複合機とファクシミリデータの送受信を行う。そして、このような複合機において通信回線が断線したことを検出する技術が提案され既に知られている（例えば、特許文献１を参照）。
【０００４】
特許文献１には、オンフック時は通信回線端子間の電圧を測定し規定の電圧に満たなければ通信回線が断線したことを検出し、オフフック時は通信回線端子に流れる電流を測定し電流が流れなければ通信回線が断線したことを検出する断線検出回路が記載されている。
【発明の概要】
【発明が解決しようとする課題】
【０００５】
ところが、特許文献１に記載されている断線検出回路は、オンフック時の通信回線端子間の電圧が低い通信回線に接続されている場合には、通信回線が断線したことを誤検知してしまうといった問題がある。尚、このような問題は、複合機のみならず、ファクシミリ専用の装置や電話機などの通信装置においても同様に起こり得る問題である。
【０００６】
本発明は、このような課題を解決するためになされたものであり、通信回線の断線検知の信頼性を向上させることを目的とする。
【課題を解決するための手段】
【０００７】
上記課題を解決するために、本発明の一態様は、通信回線を介した通信を制御する通信制御装置であって、オンフック状態において前記通信回線の線間電圧の電圧値を取得する電圧値取得部と、取得された前記電圧値が第一の所定時間継続して閾値電圧以下であるか否かを判定する第一の判定部と、前記電圧値が前記第一の所定時間継続して前記閾値電圧以下であると判定された場合、オフフック状態において前記通信回線に流れる回線電流の電流値を取得する電流値取得部と、取得された前記電流値が第二の所定時間継続して閾値電流以下であるか否かを判定する第二の判定部と、前記電流値が前記第二の所定時間継続して前記閾値電流以下であると判定された場合、前記通信回線が断線したと判定する断線判定部と、を備えることを特徴とする。
【発明の効果】
【０００８】
本発明によれば、通信回線の断線検知の信頼性を向上させることができる。
【図面の簡単な説明】
【０００９】
【図１】本発明の実施形態に係る複合機の全体構成の例を示す図である。
【図２】本発明の実施形態に係る複合機における回線Ｉ／Ｆのハードウェア構成を模式的に示すブロック図である。
【図３】本発明の実施形態に係る複合機がとり得る動作モードの一例を示すモード遷移図である。
【図４】本発明の実施形態に係る複合機がスタンバイモードにあるときの給電状態を説明するための図である。
【図５】本発明の実施形態に係る複合機がエンジンオフモードにあるときの給電状態を説明するための図である。
【図６】本発明の実施形態に係る複合機がＳＴＲモードにあるときの給電状態を説明するための図である。
【図７】本発明の実施形態に係る複合機が電源オフモードにあるときの給電状態を説明するための図である。
【図８】本発明の実施形態に係る複合機が、通信回線が断線しているか否かを検知する際の処理を説明するためのフローチャートである。
【発明を実施するための形態】
【００１０】
以下、図面を参照して、本発明の実施形態を詳細に説明する。本実施形態においては、電話回線などの通信回線を介して公衆交換電話網やファクシミリ通信網などの通信網に接続されており、その通信回線を介して他の複合機とファクシミリデータの送受信を行う、通信装置としての複合機を例として説明する。
【００１１】
本実施形態に係る複合機は、通信回線が断線しているか否かを検知する際、オンフック状態において所定時間継続して通信回線の線間に印加される電圧値（以下、「線間電圧」とする）が閾値電圧以下である場合にのみ、オフフックを行う。そして、本実施形態に係る複合機は、オフフック状態において所定時間継続して通信回線に流れる電流の電流値（以下、「回線電流」とする）が閾値電流以下である場合に、通信回線が断線したと判定する。
【００１２】
本実施形態に係る複合機は、このように構成されることで、オンフック時の線間電圧が低い通信回線に接続されている場合であっても、通信回線の断線検知による誤検知を低減させることが可能となる。従って、本実施形態に係る複合機は、不要なオフフック動作を回避することが可能となると共に、通信回線の断線検知の信頼性を向上させることが可能となる。
【００１３】
まず、本実施形態に係る複合機１のハードウェア構成について、図１、図２を参照して説明する。図１は、本実施形態に係る複合機１の全体構成の例を示す図である。図２は、本実施形態に係る複合機１における回線Ｉ／Ｆ４０６のハードウェア構成を模式的に示すブロック図である。尚、図１、図２においては、電気的な信号の流れを実線の矢印で示し、電力の流れを破線の矢印で示している。
【００１４】
図１に示すように、本実施形態に係る複合機１は、ＭＣＵ（メイン・コントロール・ユニット）１００、ＯＰＵ（オペレーション・パネル・ユニット）２００、エンジン部３００、ＦＣＵ（ファクシミリ・コントロール・ユニット）４００、ＰＳＵ（Ｐｏｗｅｒ  Ｓｕｐｐｌｙ  Ｕｎｉｔ）５００を備える。
【００１５】
ＰＳＵ５００は、商用電源や家庭用電源であるＡＣ（Ａｌｔｅｒｎａｔｉｎｇ  Ｃｕｒｒｅｎｔ）電源に接続されることで、複合機１の各部に電力を供給する。
【００１６】
ＭＣＵ１００は、図１に示すように、メインＣＰＵ（Ｃｅｎｔｒａｌ  Ｐｒｏｃｅｓｓｉｎｇ  Ｕｎｉｔ）１０１、ＮＢ（Ｎｏｒｔｈ  Ｂｒｉｄｇｅ）１０２、システムメモリ１０３、ＳＢ（Ｓｏｕｔｈ  Ｂｒｉｇｄｅ）１０４、第１ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１０５、ローカルメモリ１０６、ＨＤＤ（Ｈａｒｄ  Ｄｉｓｋ  Ｄｒｉｖｅ）１０７、省エネマイコン１０８、ＮＩＣ（Ｎｅｔｗｏｒｋ  Ｉｎｔｅｒｆａｃｅ  Ｃａｒｄ）１０９、ＵＳＢ（Ｕｎｉｖｅｒｓａｌ  Ｓｅｒｉａｌ  Ｂｕｓ）  Ｉ／Ｆ１１０、第２ＡＳＩＣ１１１を備え、複合機１全体の動作を制御する。
【００１７】
メインＣＰＵ１０１は、演算手段であり、複合機１全体の動作を制御する。システムメモリ１０３は、情報の高速な読み書きが可能な揮発性の記憶媒体であり、ＮＢ１０２を介してメインＣＰＵ１０１と接続され、メインＣＰＵ１０１が情報を処理する際の作業領域として用いられる。
【００１８】
第１ＡＳＩＣ１０５は、ＰＣＩｅ等の汎用のインタフェースを備え、ＮＢ１０２を介してメインＣＰＵ１０１と接続され、メインＣＰＵ１０１の制御により、ＰＣＩｅ等のインタフェースを介してＭＣＵ１００とエンジン部３００とのデータのやり取りを行う。また、第１ＡＳＩＣ１０５は、メインＣＰＵ１０１、ローカルメモリ１０６、ＨＤＤ１０７間でのデータのやり取りを行う。
【００１９】
ローカルメモリ１０６は、メインＣＰＵ１０１と第１ＡＳＩＣ１０５とがデータのやり取りを行う際のデータの記憶領域として用いられる。ＨＤＤ１０７は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００２０】
省エネマイコン１０８は、ＳＢ１０４及びバスを介してＮＢ１０２と接続され、ＰＳＵ５００が商用電源や家庭用電源であるＡＣ電源に接続されている際には電源オフ状態であっても常に動作し、複合機１の電源オフ時からの復帰制御や電源オフ時への移行制御を行う。
【００２１】
ＮＩＣ１０９は、ＳＢ１０４及びバスを介してＮＢ１０２と接続され、ＬＡＮ（Ｌｏｃａｌ  Ａｒｅａ  Ｎｅｔｗｏｒｋ）ケーブルが接続されることで、複合機１をインターネットやＬＡＮ等のネットワークに接続するためのインタフェースである。
【００２２】
ＵＳＢ  Ｉ／Ｆ１１０は、ＳＢ１０４及びバスを介してＮＢ１０２と接続され、ＵＳＢ１．ｘ、ＵＳＢ２．０、ＵＳＢ３．０等の規格に準拠した入出力インタフェースであり、ＵＳＢデバイスが接続されることで、複合機１をＵＳＢデバイスと接続する。
【００２３】
複合機１は、ＮＩＣ１０９やＵＳＢ  Ｉ／Ｆ１１０を介して、情報処理装置などのホスト装置からプリントジョブなどの実行要求を受信し、これに対応して画像形成動作を実行する。尚、メインＣＰＵ１０１は、ＮＩＣ１０９にＬＡＮケーブルや無線ＬＡＮ通信が接続されているか否か、ＵＳＢ  Ｉ／Ｆ１１０にＵＳＢデバイスが接続されているか否か、即ち、複合機１に外部機器が接続されているか否かを検知することができる。即ち、本実施形態においては、メインＣＰＵ１０１が接続判定部として機能する。
【００２４】
第２ＡＳＩＣ１１１は、ＰＣＩｅ等の汎用のインタフェース及び専用の制御信号線を備え、ＳＢ１０４及びバスを介してＮＢ１０２と接続され、メインＣＰＵ１０１の制御により、ＰＣＩｅ等のインタフェースを介してＭＣＵ１００とＯＰＵ２００とのデータのやり取り、ＭＣＵ１００とＦＣＵ４００とのデータのやり取りを行う。
【００２５】
また、第２ＡＳＩＣ１１１は、メインＣＰＵ１０１を補助するサブＣＰＵを備える。そして、第２ＡＳＩＣ１１１は、ＳＴＲ（Ｓｕｓｐｅｎｄ  ｔｏ  ＲＡＭ）モードへ移行した際に省エネ効率を向上させるために、メインＣＰＵ１０１を含むＭＣＵ１００の大部分への給電を停止して、メインＣＰＵ１０１に代わって、複合機１全体の動作を制御する。
【００２６】
ＭＣＵ１００は、この他、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格など、複合機１が他の装置と通信するためのインタフェースを備える。
【００２７】
ＯＰＵ２００は、図１に示すように、ディスプレイパネル２０１、操作ボタン２０２を備え、ユーザからの入力操作を受け付けると共に、ユーザに向けたメッセージを表示する。
【００２８】
ディスプレイパネル２０１は、複合機１の状態を視覚的に表示する出力インタフェースであると共に、タッチパネルとしてユーザが複合機１を直接操作し若しくは複合機１に対して情報を入力する際の入力インタフェースでもある。ディスプレイパネル２０１は、ＬＣＤ（Ｌｉｑｕｉｄ  Ｃｒｙｓｔａｌ  Ｄｉｓｐｌａｙ）などの表示装置やＬＥＤ（Ｌｉｇｈｔ  Ｅｍｉｔｔｉｎｇ  Ｄｉｏｄｅ）などの出力装置によって実現される。
【００２９】
操作ボタン２０２は、ユーザが複合機１を直接操作し若しくは複合機１に対して情報を入力する際の入力インタフェースである。操作ボタン２０２は、キーボードやマウス、入力ボタンなどの入力装置によって実現される。
【００３０】
エンジン部３００は、図１に示すように、エンジンＣＰＵ３０１、プリントエンジン３０２、スキャナエンジン３０３を備え、ＯＰＵ２００におけるユーザ操作やホスト装置からのプリントジョブなどの実行要求に応じて、原稿の読み取り動作や画像形成動作を実行する。エンジンＣＰＵ３０１は、エンジン部３００全体の動作を制御する。
【００３１】
プリントエンジン３０２は、画像形成出力を実行することにより画像を形成する画像形成部である。プリントエンジン３０２は、スキャナエンジン３０３により得られたイメージデータやＦＣＵ４００により受信されたファクシミリデータ、ＮＩＣ１０９やＵＳＢ  Ｉ／Ｆ１１０を介して受信されたプリントジョブデータに応じて画像形成出力を実行する。このプリントエンジン３０２の具体的態様としては、インクジェット方式による画像形成機構や電子写真方式による画像形成機構等を用いることが可能である。
【００３２】
スキャナエンジン３０３は、光学情報を電気信号に変換する光電変換素子を含む原稿読取部であり、原稿自動搬送装置により原稿台から自動搬送されてきた原稿、若しくは、原稿台ガラスにセットされた原稿を光学的に走査して読み取ってイメージデータを生成する。
【００３３】
ＦＣＵ４００は、図１に示すように、ファクシミリＣＰＵ４０１、省エネマイコン４０２、ＤＲＡＭ（Ｄｙｎａｍｉｃ  Ｒａｎｄｏｍ  Ａｃｃｅｓｓ  Ｍｅｍｏｒｙ）４０３、ＳＲＡＭ（Ｓｔａｔｉｃ  Ｒａｎｄｏｍ  Ａｃｃｅｓｓ  Ｍｅｍｏｒｙ）４０４、ＦＲＯＭ（Ｒａｅｄ  Ｏｎｌｙ  Ｍｅｍｏｒｙ）４０５、回線Ｉ／Ｆ４０６を備え、ＭＣＵ１００による制御に従い、他の複合機とのファクシミリデータの送受信を制御する。即ち、本実施形態においては、ＭＣＵ１００とＦＣＵ４００とが通信制御装置として機能する。
【００３４】
ファクシミリＣＰＵ４０１は、ＦＣＵ４００全体の動作を制御する。省エネマイコン４０２は、ＳＴＲモードへ移行した際、省エネ効率を向上させるために、ファクシミリＣＰＵ４０１を含むＦＣＵ４００の大部分への給電を停止し、復帰要因を検知した際、ＦＣＵ４００の各部への給電を再開してＳＴＲモードからの復帰制御を行う。
【００３５】
ＤＲＡＭ４０３は、データの一時的な記憶領域として用いられる。ＳＲＡＭ４０４は、データの継続的な記憶領域として用いられる。ＦＲＯＭ４０５は、起動用プログラムや通信制御プログラムなどのアプリケーション・プログラムを記憶する。
【００３６】
回線Ｉ／Ｆ４０６は、図２に示すように、モデム４０７、通信制御回路４０８、電圧計測回路４０９、電流計測回路４１０、オフフック検知回路４１１、極性反転検知回路４１２を備え、電話回線などの通信回線４１３が接続されることで、複合機１を公衆交換電話網やファクシミリ通信網などの通信網に接続するためのインタフェースである。回線Ｉ／Ｆ４０６は、この他、スピーカを駆動するためのスピーカ駆動回路などを備える。
【００３７】
モデム４０７は、ファクシミリデータを変調してアナログ信号を生成し、通信制御回路４０８に受け渡したり、通信制御回路４０８から伝達されたアナログ信号を復調してファクシミリデータを生成したりする。
【００３８】
通信制御回路４０８は、回線の呼出信号を検知したり、通信回線４１３を介して受信したアナログ信号をモデム４０７に伝達したり、モデム４０７から受け渡されたアナログ信号を通信回線４１３を介して送信する。
【００３９】
電圧計測回路４０９は、オンフック状態における通信回線４１３の線間電圧ＶＬを計測する。電流計測回路４１０は、オフフック状態における通信回線４１３の回線電流ＩＬを計測する。尚、通信制御回路４０８、電圧計測回路４０９、電流計測回路４１０は、ＳｉＤＡＡ（ＳＳＤ）、ＳｉＤＡＡ（ＬＳＤ）などのシリコン系の回線制御デバイスとして実現されても良い。
【００４０】
オフフック検知回路４１１は、外付け電話機がオフフック状態になったことを検知する。極性反転検知回路４１２は、通信回線４１３の極性反転や呼出信号を検知する。
【００４１】
このように本実施形態に係る複合機１は、画像処理装置、画像形成装置としての機能を備え、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ）である。
【００４２】
このようなハードウェア構成において、ＨＤＤ１０７やＦＲＯＭ４０５等の記憶媒体に格納されたプログラムがシステムメモリ１０３、ローカルメモリ１０６やＤＲＡＭ４０３、ＳＲＡＭ４０４に読み出され、メインＣＰＵ１０１やファクシミリＣＰＵ４０１が読み出されたプログラムに従って演算を行うことにより、ソフトウェア制御部が構成される。このようにして構成されたソフトウェア制御部と、ハードウェアとの組み合わせによって、本実施形態に係る複合機１の機能を実現する機能ブロックが構成される。
【００４３】
次に、本実施形態に係る複合機１がとり得る動作モードについて、図３を参照して説明する。図３は、本実施形態に係る複合機１がとり得る動作モードの一例を示すモード遷移図である。
【００４４】
図３に示すように、本実施形態に係る複合機１は、スタンバイモード、予熱モード、低電力モード、静音モード、エンジンオフモード、ＳＴＲモード、電源オフモードのいずれかの動作モードをとり得る。
【００４５】
そして、複合機１は、スタンバイモードにおいてアイドリング状態が一定時間経過した場合や、特定の時刻になった場合に、各動作モード間を遷移することにより、省エネルギー化を図っている。これらの動作モード間の遷移は、ＭＣＵ１００がＰＳＵ５００へ電源制御信号を送出することにより行われる。即ち、本実施形態においては、ＭＣＵ１００が動作モード遷移制御部として機能する。
【００４６】
次に、本実施形態に係る複合機１が各動作モードにあるときの給電状態について、図４〜図７を参照して説明する。
【００４７】
図４は、本実施形態に係る複合機１がスタンバイモードにあるときの給電状態を説明するための図である。図５は、本実施形態に係る複合機１がエンジンオフモードにあるときの給電状態を説明するための図である。図６は、本実施形態に係る複合機１がＳＴＲモードにあるときの給電状態を説明するための図である。図７は、本実施形態に係る複合機１が電源オフモードにあるときの給電状態を説明するための図である。
【００４８】
尚、図４〜図７においては、太線で囲まれている部分には電力が供給されていることを示し、ハッチング部分（斜線部分）には電力が供給されていないことを示す。
【００４９】
図４に示すように、本実施形態に係る複合機１がスタンバイモードにあるとき、複合機１の各部全てに電力が供給される。
【００５０】
また、図５に示すように、本実施形態に係る複合機１がエンジンオフモードにあるとき、ＭＣＵ１００、ＦＣＵ４００には電力が供給されるが、ＯＰＵ２００、エンジン部３００には電力が給電されない。このように、本実施形態に係る本実施形態に係る複合機１は、エンジンオフモードにあるとき、複合機１の一部への電力供給を停止することにより、省エネルギー化を図っている。
【００５１】
また、図６に示すように、本実施形態に係る複合機１がＳＴＲモードにあるとき、ＭＣＵ１００の一部、即ち、システムメモリ１０３、ローカルメモリ１０６、省エネマイコン１０８、ＮＩＣ１０９、ＵＳＢ１１０、第２ＡＳＩＣ１１１、及び、ＦＣＵ４００の一部、即ち、省エネマイコン４０２、回線Ｉ／Ｆ４０６には電力が供給されるが、その他の各部には電力が供給されない。このように、本実施形態に係る複合機１は、ＳＴＲモードにあるとき、複合機１の一部への電力供給を停止することにより、省エネルギー化を図っている。
【００５２】
また、図７に示すように、本実施形態に係る複合機１が電源オフモードにあるとき、ＭＣＵ１００の省エネマイコン１０８のみに電力が供給され、それ以外の各部には電力が供給されない。これによって、本実施形態に係る本実施形態に係る複合機１は、電源オフモード時の消費電力０．５Ｗを達成している。
【００５３】
従って、本実施形態に係る複合機１は、欧州規格であるＬｏｔ６の一つである電源オフモード電力消費量基準、即ち、電源オフモード時における機器の電力消費量は、０．５Ｗを超えてはならないといった規格に対応することが可能である。
【００５４】
次に、本実施形態に係る複合機１が、通信回線４１３が断線しているか否かを検知する際の処理について、図８を参照して説明する。図８は、本実施形態に係る複合機１が、通信回線４１３が断線しているか否かを検知する際の処理を説明するためのフローチャートである。
【００５５】
尚、図８を参照して説明する処理は、ファクシミリＣＰＵ４０１がＦＲＯＭ４０５に記憶されている通信制御プログラムをＤＲＡＭ４０３やＳＲＡＭ４０４に読み出し、読み出した通信制御プログラムに従って演算を行うことで実行される。
【００５６】
図８に示すように、本実施形態に係る複合機１が、通信回線４１３が断線しているか否かを検知する際にはまず、ＭＣＵ１００は、通信回線４１３が断線しているか否かを検知させるための断線検知依頼をＦＣＵ４００に対して定期的に発行する（Ｓ８０１）。
【００５７】
ファクシミリＣＰＵ４０１は、ＭＣＵ１００からの断線検知依頼を受けて、電圧計測回路４０９による線間電圧ＶＬの計測回数をカウントする電圧計測カウンタのカウンタ値をクリアする（Ｓ８０２）。
【００５８】
そして、ファクシミリＣＰＵ４０１は、電圧計測回路４０９に線間電圧ＶＬを計測させ（Ｓ８０３）、計測された線間電圧ＶＬと閾値電圧との大小関係を判定する（Ｓ８０４）。即ち、本実施形態においては、ファクシミリＣＰＵ４０１が電圧値取得部、第一の判定部として機能する。
【００５９】
尚、本実施形態に係る複合機１においては、この閾値電圧は、予め定められていても良いし、ＭＣＵ１００が、ユーザや管理者によるＯＰＵ２００への操作や、ホスト装置からの指示に応じて設定変更することができるように構成されていても良い。即ち、本実施形態においては、ＭＣＵ１００が、設定変更部として機能する。本実施形態に係る複合機１は、このように構成されることで、ノイズが多い通信回線や回線状況の悪い通信回線にも対応することが可能となり、通信回線４１３の断線検知の信頼性を向上させることが可能となる。
【００６０】
ファクシミリＣＰＵ４０１は、Ｓ８０４における判定処理において、線間電圧ＶＬが閾値電圧よりも大きいと判定した場合（Ｓ８０４／ＮＯ）、通信回線４１３は断線していないと判定し、その判定結果をＭＣＵ１００に通知する（Ｓ８０５）。そして、本実施形態に係る複合機１は、通信回線４１３が断線しているか否かを検知する際の処理を終了する。
【００６１】
一方、ファクシミリＣＰＵ４０１は、Ｓ８０４における判定処理において、線間電圧ＶＬが閾値電圧以下であると判定した場合（Ｓ８０４／ＹＥＳ）、電圧計測カウンタのカウンタ値に＋１する（Ｓ８０６）。
【００６２】
そして、ファクシミリＣＰＵ４０１は、電圧計測カウンタのカウンタ値と所定値との大小関係を判定することにより、線間電圧ＶＬが閾値電圧以下である継続時間が所定時間に達したか否かを判定する（Ｓ８０７）。即ち、この所定時間が第一の所定時間として断線検知の判定基準に用いられる。
【００６３】
尚、本実施形態に係る複合機１において、この所定値は、予め定められていても良いし、ＭＣＵ１００が、ユーザや管理者によるＯＰＵ２００への操作や、ホスト装置からの指示に応じて設定変更することができるように構成されていても良い。本実施形態に係る複合機１は、このように構成されることで、ノイズが多い通信回線や回線状況の悪い通信回線にも対応することが可能となり、通信回線４１３の断線検知の信頼性を向上させることが可能となる。
【００６４】
ファクシミリＣＰＵ４０１は、Ｓ８０７における判定処理において、カウンタ値が所定値よりも小さい、即ち、線間電圧ＶＬが閾値電圧以下である継続時間が所定時間に達していないと判定した場合（Ｓ８０７／ＮＯ）、一定時間経過後、例えば、２０ｍｓ経過後（Ｓ８０８）、Ｓ８０３以降と同様の処理を行う。
【００６５】
尚、本実施形態に係る複合機１においては、この所定時間は、予め定められていても良いし、ＭＣＵ１００が、ユーザや管理者によるＯＰＵ２００への操作や、ホスト装置からの指示に応じて設定変更することができるように構成されていても良い。
【００６６】
一方、ファクシミリＣＰＵ４０１は、Ｓ８０７における判定処理において、カウンタ値が所定値以上、即ち、線間電圧ＶＬが閾値電圧以下である継続時間が所定時間に達したと判定した場合（Ｓ８０７／ＹＥＳ）、電流計測回路４１０による回線電流ＩＬの計測回数をカウントする電流計測カウンタのカウンタ値をクリアする（Ｓ８０９）。
【００６７】
そして、ファクシミリＣＰＵ４０１は、オフフックを行い（Ｓ８１０）、オフフック状態となってから所定時間経過してから、例えば、５００ｍｓ経過してから（Ｓ８１１）、電流計測回路４１０に回線電流ＩＬを計測させ（Ｓ８１２）、計測された回線電流ＩＬと閾値電流との大小関係を判定する（Ｓ８１３）。即ち、本実施形態においては、この所定時間が第三の所定時間として断線検知の判定基準に用いられ、ファクシミリＣＰＵ４０１が電流値取得部、第二の判定部として機能する。
【００６８】
尚、本実施形態に係る複合機１においては、この所定時間は、予め定められていても良いし、ＭＣＵ１００が、ユーザや管理者によるＯＰＵ２００への操作や、ホスト装置からの指示に応じて設定変更することができるように構成されていても良い。本実施形態に係る複合機１は、このように構成されることで、オフフック状態になったことを検知することが遅い交換機にも対応することが可能となり、通信回線４１３の断線検知の信頼性を向上させることが可能となる。
【００６９】
また、本実施形態に係る複合機１においては、この閾値電流は、予め定められていても良いし、ＭＣＵ１００が、ユーザや管理者によるＯＰＵ２００への操作や、ホスト装置からの指示に応じて設定変更することができるように構成されていても良い。本実施形態に係る複合機１は、このように構成されることで、ノイズが多い通信回線や回線状況の悪い通信回線にも対応することが可能となり、通信回線４１３の断線検知の信頼性を向上させることが可能となる。
【００７０】
ファクシミリＣＰＵ４０１は、Ｓ８１３における判定処理において、回線電流ＩＬが閾値電圧よりも大きいと判定した場合（Ｓ８１３／ＮＯ）、通信回線４１３は断線していないと判定し、その判定結果をＭＣＵ１００に通知して（Ｓ８１４）、オンフック状態に戻す（Ｓ８１５）。そして、本実施形態に係る複合機１は、通信回線４１３が断線しているか否かを検知する際の処理を終了する。
【００７１】
一方、ファクシミリＣＰＵ４０１は、Ｓ８１３における判定処理において、回線電流ＩＬが閾値電圧以下であると判定した場合（Ｓ８１３／ＹＥＳ）、電流計測カウンタのカウンタ値に＋１する（Ｓ８１６）。
【００７２】
そして、ファクシミリＣＰＵ４０１は、電流計測カウンタのカウンタ値と所定値との大小関係を判定することにより、回線電流ＩＬが閾値電圧以下である継続時間が所定時間に達したか否かを判定する（Ｓ８１７）。即ち、この所定時間が第二の所定時間として断線検知の判定基準に用いられる。
【００７３】
尚、本実施形態に係る複合機１においては、この所定値は、予め定められていても良いし、ＭＣＵ１００が、ユーザや管理者によるＯＰＵ２００への操作や、ホスト装置からの指示に応じて設定変更することができるように構成されていても良い。本実施形態に係る複合機１は、このように構成されることで、ノイズが多い通信回線や回線状況が悪い通信回線にも対応することが可能となり、通信回線４１３の断線検知の信頼性を向上させることが可能となる。
【００７４】
ファクシミリＣＰＵ４０１は、Ｓ８１７における判定処理において、カウンタ値が所定値よりも小さい、即ち、回線電流ＩＬが閾値電圧以下である継続時間が所定時間に達していないと判定した場合（Ｓ８１７／ＮＯ）、一定時間経過後、例えば、２０ｍｓ経過後（Ｓ８１８）、Ｓ８１２以降と同様の処理を行う。
【００７５】
尚、本実施形態に係る複合機１においては、この所定時間は、予め定められていても良いし、ＭＣＵ１００が、ユーザや管理者によるＯＰＵ２００への操作や、ホスト装置からの指示に応じて設定変更することができるように構成されていても良い。
【００７６】
一方、ファクシミリＣＰＵ４０１は、Ｓ８１７における判定処理において、カウンタ値が所定値以上、即ち、回線電流ＩＬが閾値電圧以下である継続時間が所定時間に達したと判定した場合（Ｓ８１７／ＹＥＳ）、通信回線４１３は断線していると判定し、その判定結果をＭＣＵ１００に通知して（Ｓ８１９）、オンフック状態に戻す（Ｓ８２０）。即ち、本実施形態においては、ファクシミリＣＰＵ４０１が断線判定部として機能する。そして、本実施形態に係る複合機１は、通信回線４１３が断線しているか否かを検知する際の処理を終了する。
【００７７】
尚、本実施形態に係る複合機１においては、ＭＣＵ１００は、通信回線４１３が断線しており、ＮＩＣ１０９にＬＡＮケーブルが接続されておらず、ＵＳＢ  Ｉ／Ｆ１１０にＵＳＢデバイスが接続されていないと判定した場合、複合機１を電源オフモードに移行させるように構成されていても良い。
【００７８】
本実施形態に係る複合機１は、このように構成されることで、他の機器やネットワーク、通信網に接続されていないにもかかわらず無駄にエネルギーが消費されることを防ぐことが可能となり、省エネルギー化を図ることが可能となる。また、本実施形態に係る複合機１は、このように構成されることで、欧州規格であるＬｏｔ６の一つである電源オフモード電力消費量基準に対応することが可能となる。
【００７９】
尚、本実施形態に係る複合機１は、通信回線４１３が断線時に、欧州規格であるＬｏｔ６の一つである電源オフモード電力消費量基準に対応するため、欧州向けの複合機である場合にのみ、断線検知依頼を発行するように構成されていても良い。
【００８０】
以上、説明したように、本実施形態に係る複合機１は、通信回線が断線しているか否かを検知する際、オンフック状態において所定時間継続して通信回線の線間電圧が閾値電圧以下である場合にのみ、オフフックを行う。そして、本実施形態に係る複合機１は、オフフック状態において所定時間継続して通信回線の回線電流が閾値電流以下である場合に、通信回線が断線したと判定する。
【００８１】
本実施形態に係る複合機１は、このように構成されることで、オンフック時の線間電圧が低い通信回線に接続されている場合であっても、通信回線の断線検知による誤検知を低減させることが可能となる。従って、本実施形態に係る複合機１は、不要なオフフック動作を回避することが可能となると共に、通信回線の断線検知の信頼性を向上させることが可能となる。
【００８２】
尚、本実施形態においては複合機を例にして説明したが、ファクシミリ専用の装置や電話機などの通信装置においても同様に適用可能である。
【符号の説明】
【００８３】
１  複合機
１００  ＭＣＵ
１０１  メインＣＰＵ
１０２  ＮＢ
１０３  システムメモリ
１０４  ＳＢ
１０５  第１ＡＳＩＣ
１０６  ローカルメモリ
１０７  ＨＤＤ
１０８  省エネマイコン
１０９  ＮＩＣ
１１０  ＵＳＢ  Ｉ／Ｆ
１１１  第２ＡＳＩＣ
２００  ＯＰＵ
２０１  ディスプレイパネル
２０２  操作ボタン
３００  エンジン部
３０１  エンジンＣＰＵ
３０２  プリントエンジン
３０３  スキャナエンジン
４００  ＦＣＵ
４０１  ファクシミリＣＰＵ
４０２  省エネマイコン
４０３  ＤＲＡＭ
４０４  ＳＲＡＭ
４０５  ＦＲＯＭ
４０６  回線Ｉ／Ｆ
５００  ＰＳＵ
【先行技術文献】
【特許文献】
【００８４】
【特許文献１】特開平０８−０７０３４５号公報
【図１】
0006468064.tif 000002
【図２】
0006468064.tif 000003
【図３】
0006468064.tif 000004
【図４】
0006468064.tif 000005
【図５】
0006468064.tif 000006
【図６】
0006468064.tif 000007
【図７】
0006468064.tif 000008
【図８】
0006468064.tif 000009